(57)【特許請求の範囲】
【請求項１】
映像を投射するための光源と、
前記光源の新品時の輝度から最新の輝度を減算し、輝度変化量（過去分）を計算する輝度変換量（過去分）計算部と、前記光源の最新の輝度から、前記光源の新品時の輝度と前記光源の交換輝度率とを乗算して得た光源交換輝度を減算し、輝度変化量（将来分）を計算する輝度変化量（将来分）計算部と最新の日付から前記光源の新品時の日付を減算し、使用日数を計算する使用日数計算部と、前記輝度変化量（将来分）を前記輝度変化量（過去分）で除算した値と前記使用日数とを乗算し、前記光源が寿命に達するまでの日数を計算する光源寿命までの日数計算部とを含み、前記輝度変化量（過去分）及び輝度変化量（将来分）に基づいて、前記光源が寿命に達するまでの日数を計算する光源寿命分析部を含む、
光源がいつ寿命に達するのか予測を行う光源寿命予測部と、
を備えた映像投射装置。
【請求項２】
前記光源寿命分析部が、前記光源の新品時からの累計使用回数を入力する累計使用回数入力部と、
前記輝度変化量（将来分）を前記輝度変化量（過去分）で除算した値と前記累計使用回数とを乗算し、前記光源が寿命に達するまでの回数を計算する光源寿命までの回数計算部とを含む請求項１に記載の映像投射装置。
【請求項３】
映像を投射するための光源がいつ寿命に達するのか、前記光源の新品時の輝度から最新の輝度を減算して前記輝度変化量（過去分）を計算し、前記光源の最新の輝度から、前記光源の新品時の輝度と前記光源の交換輝度率とを乗算して得た光源交換輝度を減算して前記輝度変化量（将来分）を計算し、前記輝度変化量（過去分）及び輝度変化量（将来分）に基づいて、最新の日付から前記光源の新品時の日付を減算し、使用日数を計算し、前記輝度変化量（将来分）を前記輝度変化量（過去分）で除算した値と前記使用日数とを乗算し、前記光源が寿命に達するまでの日数を計算して予測を行う映像投射装置の光源寿命予測方法。
【請求項４】
前記光源の新品時からの累計使用回数を入力し、前記輝度変化量（将来分）を前記輝度変化量（過去分）で除算した値と前記累計使用回数とを乗算し、前記光源が寿命に達するまでの回数を計算する請求項３に記載の映像投射装置の光源寿命予測方法。
【発明の詳細な説明】
【技術分野】
【０００１】
本発明は、映像投射装置、映像投射装置の光源寿命予測方法に関する。
【背景技術】
【０００２】
映像投射装置（以下、プロジェクタを例に説明する）の光源（例、ランプ）は、技術改良が進み長寿命化が図られている。しかし、寿命が近づいてくると光源は発光輝度が徐々に低下してくるため、プロジェクタの使用者は、適切なタイミングで光源を交換しないといざというときに使用できなくなってしまう。
【０００３】
この光源交換のタイミングを検知する技術として、例えば、特許文献１は、ランプ使用時間に、ランプ・オン時ストレス分の時間を加算してランプ消耗検出精度を向上したランプ寿命表示機能付投映装置を開示している。このランプ寿命表示機能付投映装置は、ランプ使用時間のカウント値が一定値に達した時に表示部がランプ消耗警告を行う。特許文献２は、光源ランプの光量の低下の度合いを発行色によって表示するＬＥＤ表示装置を開示している。特許文献３は、全白または固有の色調を持ったテストパターンをスクリーンに投写し、投写したテストパターンの輝度値を輝度測定部により測定し、基準となる輝度値と比較する投影型プロジェクタを開示している。投影型プロジェクタは基準値を下回る測定輝度レベルのとき、投影用光源の交換を指示する。特許文献４は、全黒及び色調のテストパターンを投射し、全黒と他の色調の輝度の差が規定値を下回った際にランプ寿命の警告表示を行うプロジェクタを開示している。特許文献５は、ランプの着脱回数や電源投入回数をカウントして記憶し、規定回数に達したら寿命と判断する照明装置を開示している。
【０００４】
また、ランプの寿命の通知に関連する技術として、特許文献６は、電源の残量をカメラマンに通知する電子スチルカメラを開示している。特許文献７は、ＬＣＤモニタ等において光源の輝度を取得する輝度調整装置を開示している。
【０００５】
【特許文献１】特開平８−１０６１２８号公報
【特許文献２】特開平１０−１６５４２０号公報
【特許文献３】特開２０００−１４７６５９号公報
【特許文献４】特開２００６−１７１６０２号公報
【特許文献５】特開２００６−２３６６６５号公報
【特許文献６】特開平９−２６９５２３号公報
【特許文献７】特開２００７−１２８８２７号公報
【発明の開示】
【発明が解決しようとする課題】
【０００６】
上述の特許文献に記載の技術は、光源の寿命に関して、例えば、使用時間が一定値に達した等、その時の光源の状態を警告する事に止まっている。そして、上述の特許文献に記載の技術は、光源がいつ寿命に達するのか予測を行うことができなかった。
【０００７】
本発明の目的は、上記課題を解決する映像投射装置、映像投射装置の光源寿命予測方法を提供することにある。
【課題を解決するための手段】
【０００８】
映像投射装置は、映像を投射するための光源と、前記光源の新品時の輝度から最新の輝度を減算し、輝度変化量（過去分）を計算する輝度変換量（過去分）計算部と、前記光源の最新の輝度から、前記光源の新品時の輝度と前記光源の交換輝度率とを乗算して得た光源交換輝度を減算し、輝度変化量（将来分）を計算する輝度変化量（将来分）計算部と最新の日付から前記光源の新品時の日付を減算し、使用日数を計算する使用日数計算部と、
前記輝度変化量（将来分）を前記輝度変化量（過去分）で除算した値と前記使用日数とを乗算し、前記光源が寿命に達するまでの日数を計算する光源寿命までの日数計算部と
を含み、前記輝度変化量（過去分）及び輝度変化量（将来分）に基づいて、前記光源が寿命に達するまでの日数を計算する光源寿命分析部を含む、光源がいつ寿命に達するのか予測を行う光源寿命予測部と、を備える。
【０００９】
映像投射装置の光源寿命予測方法は、映像を投射するための光源がいつ寿命に達するのか、前記光源の新品時の輝度から最新の輝度を減算して前記輝度変化量（過去分）を計算し、前記光源の最新の輝度から、前記光源の新品時の輝度と前記光源の交換輝度率とを乗算して得た光源交換輝度を減算して前記輝度変化量（将来分）を計算し、前記輝度変化量（過去分）及び輝度変化量（将来分）に基づいて、最新の日付から前記光源の新品時の日付を減算し、使用日数を計算し、前記輝度変化量（将来分）を前記輝度変化量（過去分）で除算した値と前記使用日数とを乗算し、前記光源が寿命に達するまでの日数を計算して予測を行う。
【発明の効果】
【００１０】
映像投射装置において、光源がいつ寿命に達するのか予測を行うことが可能となるという効果を奏する。
【発明を実施するための最良の形態】
【００１１】
次に、本発明の実施の形態について図面を参照して詳細に説明する。まず、本発明の実施の形態の構成について説明する。
【００１２】
図１は、プロジェクタ００１の構成を示す図である。図１（ａ）は、本発明のプロジェクタ００１の概要構成を示す図であり、図１（ｂ）は、本発明のプロジェクタ００１の詳細構成を示す図である。
【００１３】
図１（ａ）を参照すると、プロジェクタ００１は、映像を投射するためのランプユニット０７０と、ランプユニット０７０がいつ寿命に達するのか予測を行うランプ寿命予測回路１３０とを含む。本発明は、以上の構成により、プロジェクタ００１において、ランプユニット０７０がいつ寿命に達するのか予測を行うことが可能となる、という効果を奏する。
【００１４】
図１（ｂ）を参照すると、プロジェクタ００１は、電源スイッチ０１０と、電源回路０１１と、映像入力回路０３０と、ランプ制御回路０４０と、映像照射制御回路０５０と、映像照射部０６０とを備える。また、プロジェクタ００１は、ランプユニット０７０と、電源スイッチ管理回路０８０と、輝度測定回路０９０と、ランプ寿命外部表示回路１２０と、ランプ寿命予測回路１３０とを備える。プロジェクタ００１は、映像投射装置と呼ぶことができる。
【００１５】
電源スイッチ０１０は、電源コンセントから供給される電源を電源回路０１１に供給するか否かを切り替えるスイッチである。
【００１６】
電源回路０１１は、全ての回路に対し電源を供給する為の回路であり、プロジェクタ００１外部の電源コンセントから供給される電源を変圧し、各回路へ供給する。
【００１７】
映像入力回路０３０は、プロジェクタ００１の外部から、映像外部入力（図示せず）を介して、映像データを取り込む回路である。
【００１８】
ランプ制御回路０４０は、プロジェクタ００１の光源として使用されるランプユニット０７０の動作を制御する回路である。
【００１９】
映像照射制御回路０５０は、映像入力回路０３０より入力された映像データを映像照射部０６０に照射させる為に必要な制御をする回路である。
【００２０】
映像照射部０６０は、映像照射制御回路０５０により制御され、映像入力回路０３０から送られてきた映像をスクリーン（図示せず）に照射する。映像照射部０６０は、例えば、液晶素子やＤＭＤ（Ｄｉｇｉｔａｌ  Ｍｉｃｒｏｍｉｒｒｏｒ  Ｄｅｖｉｃｅ）等を含む。
【００２１】
ランプユニット０７０は、プロジェクタ００１の光源（消耗品）である。プロジェクタ００１は、ランプユニット０７０のランプが発光することにより、映像照射部０６０に照射された映像をスクリーン（図示せず）に投影する。ランプユニット０７０は、ユニット構成となっており、内部にランプとリレー回路（図示せず）を含む。ランプユニット０７０の新品時（以後、「新品時」は、ランプユニット０７０新品時の初回と交換時の初回の両方を含む）の通電時に、ランプユニット０７０のリレー回路（図示せず）は、ＯＮになった後すぐにＯＦＦとなる。そして、その後はランプユニット０７０が交換されるまで、リレー回路はＯＦＦのままとなる。即ち、ランプユニット０７０は、新品時のみ１パルスのランプ交換信号を出力する。そして、後述の輝度測定回路０９０がそのランプ交換信号を入力する。
【００２２】
電源スイッチ管理回路０８０は、電源スイッチ０１０の電源スイッチ管理データを計算する回路である。
【００２３】
輝度測定回路０９０は、ランプユニット０７０の輝度を測定しデータ化する回路である。ランプユニット０７０が点灯すると、輝度測定回路０９０が、起動し、ランプユニット０７０の輝度を測定する。そして、輝度測定回路０９０は、電源が投入されてから一定時間（例えば、１時間）毎に輝度の測定を行う。輝度測定回路０９０は、日付と時刻のデータを後述の電源スイッチ管理回路０８０の日付管理部８２１から入力する。また、ランプユニット０７０の新品時には、輝度測定回路０９０は、ランプユニット０７０からランプ交換信号を入力する。
【００２４】
輝度測定回路０９０は、測定データをデータ記憶回路１００へ出力する。測定データは、日付と、時刻と、ランプ交換信号（ランプユニット０７０の新品時のみ）と、輝度測定値を含む。また、輝度測定回路０９０は、輝度測定値をランプ寿命分析回路１１０に出力する。
【００２５】
ランプ寿命予測回路１３０は、ランプがいつ寿命に達するのか予測を行う回路である。ランプ寿命予測回路１３０は、データ記憶回路１００とランプ寿命分析回路１１０とを備える。ランプ寿命予測回路１３０は、光源寿命予測部と呼ぶことができる。
【００２６】
データ記憶回路１００は、輝度測定回路０９０において測定された測定データと、電源スイッチ管理回路０８０からの電源スイッチ管理データと、ランプ寿命分析回路１１０からのランプ寿命判定結果等とを蓄積する記憶回路である。
【００２７】
ランプ寿命分析回路１１０は、データ記憶回路１００のデータを分析しランプの寿命予測を行う回路である。ランプ寿命分析回路１１０は、データ記憶回路１００に寿命予測した結果を格納する。また、ランプ寿命分析回路１１０は、ランプ寿命外部表示回路１２０にランプ寿命判定結果、ランプユニット０７０交換までの日数（使用可能日数）、回数（使用可能回数）を出力する。ランプ寿命分析回路１１０は、光源寿命分析部と呼ぶことができる。
【００２８】
ランプ寿命外部表示回路１２０は、ランプユニット０７０の状況と、ランプ寿命判定結果（ランプがいつ寿命に達するのか（ランプ交換）を予測したデータ）をプロジェクタ００１の外部の表示手段（図示せず）へ表示するための回路である。外部の表示手段は、例えば、プロジェクタ００１本体の液晶ディスプレイ、プロジェクタ００１とケーブルで直接接続または、ネットワーク回線で接続されたパーソナルコンピュータのディスプレイ等である。
【００２９】
図２は、ランプ寿命データテーブル１０１の構成を示す図である。ランプ寿命データテーブル１０１は、項目として、日付０１４と、時刻０１５と、ランプ交換０１６と、電源ＳＷ０１７と、１日当たり使用回数０１８と、累計使用回数０１９と、１回当たり使用時間０２０とを含む。また、ランプ寿命データテーブル１０１は、輝度測定値０２１と、輝度変化率０２２と、ランプ寿命判定結果０２３とを含む。また、ランプ寿命データテーブル１０１は、ランプ交換までの日数０２４（現在からランプ交換までの使用可能日数）と、ランプ交換までの回数０２５（現在からランプ交換までの使用可能回数）とを含む。
【００３０】
日付０１４は、データが格納された際の日付を示す。時刻０１５は、データが格納された時の時刻を示す。ランプ交換０１６の項目は、図１（ａ）のランプユニット０７０の新品時に「ランプ交換」がデータ記憶回路１００により格納される。具体的には、ランプユニット０７０の新品時には、輝度測定回路０９０が出力する測定データはランプ交換信号を含み、データ記憶回路１００は、そのランプ交換信号を入力する。そして、データ記憶回路１００は、ランプ寿命データテーブル１０１のランプ交換０１６の項目に「ランプ交換」を格納する。また、データ記憶回路１００は、ランプ寿命判定結果０２３の項目に「ランプ交換」が格納された場合、ランプ交換０１６の欄に「ランプ寿命」を格納する。
【００３１】
電源ＳＷ０１７は、図１（ａ）の電源スイッチ０１０の動作を管理している電源スイッチ管理回路０８０より出力される電源ＯＮ／ＯＦＦ信号を基に電源スイッチ０１０がＯＮとなっているかＯＦＦとなっているかを示す。
【００３２】
１日当たり使用回数０１８は、その日１日にプロジェクタ００１が使用された回数を示す。
【００３３】
累計使用回数０１９は、ランプユニット０７０の新品時から、使用者がプロジェクタ００１を使用した回数の累計を示す。
【００３４】
１回当たり使用時間０２０は、プロジェクタ００１が毎回使用される毎に、その回の使用時間を示す。
【００３５】
輝度測定値０２１は、輝度測定回路０９０が測定したランプユニット０７０の輝度測定値を示す。
【００３６】
輝度変化率０２２は、ランプ寿命分析回路１１０で分析されたランプユニット０７０の新品時のランプの輝度に対する、輝度変化量の比率である輝度変化率を示す。
【００３７】
ランプ寿命判定結果０２３は、ランプ寿命分析回路１１０で分析されたランプユニット０７０の寿命判定結果を示す。
【００３８】
ランプ交換までの日数０２４は、ランプ寿命分析回路１１０で分析された現在からランプユニット０７０交換までの使用可能日数を示す。
【００３９】
ランプ交換までの回数０２５は、ランプ寿命分析回路１１０で分析された現在からランプユニット０７０交換までの使用可能回数を示す。
【００４０】
尚、図２において、輝度測定値０２６「１３００」は、ランプ寿命分析回路１１０がランプ摩耗と判定した時の輝度の数値であり、輝度測定値０２７「１０００」は、ランプ交換が必要となった時の輝度の数値である。また、輝度測定値０２８「２０００」は、ランプ交換した後の１回目の測定した数値（新品時の輝度）である。累計使用回数０２９「４３０回目」は、ランプ寿命分析回路１１０がランプ摩耗と判定した時の累計使用回数０１９の数値である。
【００４１】
図３は、電源スイッチ管理回路０８０の構成を示す図である。電源スイッチ管理回路０８０は、ＯＮ／ＯＦＦ入力部０８１と、１日の使用回数カウンタ０８２と、累計使用回数カウンタ０８３と、１回当たり使用時間タイマ０８４と、出力部０８５とを含む。
【００４２】
ＯＮ／ＯＦＦ入力部０８１は、電源スイッチ０１０から電源ＯＮ信号（ＯＦＦからＯＮになったことを示す）又は電源ＯＦＦ信号（ＯＮからＯＦＦになったことを示す）を入力する。そして、ＯＮ／ＯＦＦ入力部０８１は、１日の使用回数カウンタ０８２と、累計使用回数カウンタ０８３と、１回当たり使用時間タイマ０８４と、出力部０８５とに電源ＯＮ信号を出力する。
【００４３】
１日の使用回数カウンタ０８２は、カウンタ８２０と、日付管理部８２１と、最新使用日付記憶部８２２と比較部８２３とを含む。
【００４４】
カウンタ８２０は、プロジェクタ００１の１日の使用回数を計数するためのカウンタである。電源ＯＮ信号を入力するたびに１加算される。比較部８２３が、そのときの日付が最新使用日付記憶部８２２に格納された日付と異なると判断した場合、カウンタ８２０はリセットされた後に、１加算される。
【００４５】
日付管理部８２１は、そのときの日付と時刻を保持する時計である。日付管理部８２１は、輝度測定回路０９０に日付と時刻のデータを出力部０８５を介して出力する。
【００４６】
最新使用日付記憶部８２２は、プロジェクタ００１が最も最近使用された日付を格納する。
【００４７】
比較部８２３は、日付管理部８２１が保持するそのときの日付と最新使用日付記憶部８２２が保持するプロジェクタ００１が最も最近使用された日付が同じであるか否か比較する。
【００４８】
累計使用回数カウンタ０８３は、プロジェクタ００１の累計使用回数を計数するためのカウンタであり、電源ＯＮ信号を入力すると自身を１加算する。
【００４９】
１回当たり使用時間タイマ０８４は、プロジェクタ００１の１回当たりの使用時間を計測するためのタイマであり、電源ＯＮ信号を入力するとスタートし、電源ＯＦＦ信号を入力するとストップ、リセットする。
【００５０】
出力部０８５は、データ記憶回路１００と輝度測定回路０９０とへデータを出力するための出力部である。出力部０８５は、ＯＮ／ＯＦＦ入力部０８１から電源ＯＮ信号、１日の使用回数カウンタ０８２から１日の使用回数、累計使用回数カウンタ０８３から累計使用回数を入力し、データ記憶回路１００に出力する。また、出力部０８５は、日付管理部８２１から日付と時刻のデータを入力し、輝度測定回路０９０に出力する。
【００５１】
図４は、ランプ寿命分析回路１１０の構成を示す図である。
【００５２】
ランプ寿命分析回路１１０は、入力部１１１と、ランプ寿命判定部１１２と、輝度変化率計算部１１３と、ランプ寿命計算部１１４と、出力部１１５とを含む。
【００５３】
入力部１１１は、輝度測定回路０９０又は、データ記憶回路１００からデータを入力し、ランプ寿命分析回路１１０内の各部に転送する。
【００５４】
ランプ寿命判定部１１２は、比較部２００と閾値記憶部２０１とを含む。
【００５５】
比較部２００は、輝度測定回路０９０からの輝度測定値と閾値記憶部２０１に予め格納されている第１の数値又は第２の数値とを比較することにより、「ランプ交換」「ランプ摩耗」「異常なし」のランプ寿命判定を行う。
【００５６】
閾値記憶部２０１は、第１の数値と第２の数値を格納する記憶部である。第１の数値と第２の数値は、プロジェクタ００１に使用されるランプユニット０７０の新品時の輝度に一定の比率を乗じた値である。第１の数値と第２の数値は、ランプ寿命判定に合わせて予め設定される。
【００５７】
輝度変化率計算部１１３は、ランプユニット０７０が交換された後の１回目の測定値と輝度測定回路０９０からの最新の輝度測定値とを比較する。そして、輝度変化率計算部１１３は、その数値の変化量を算出し、その時の変化率（変化量のランプユニット０７０が交換された後の１回目の測定値に対する割合）を計算する。
【００５８】
ランプ寿命計算部１１４は、輝度変化量（過去分）計算部４００と、輝度変化量（将来分）計算部４０１と、使用日数計算部４０２と、累計使用回数入力部４０３と、ランプ交換までの日数計算部４０６と、ランプ交換までの回数計算部４０７とを含む。各部の機能は、後述の図７の動作の説明において行う。
【００５９】
以上で、本発明の実施の形態の構成について説明を終了する。
【００６０】
次に、本発明の実施の形態の動作について図面を参照して説明する。
【００６１】
図１（ｂ）において電源スイッチ０１０がＯＮになったら、外部の電源コンセントが、電源スイッチ０１０に電力を供給する。電源スイッチ０１０は、電力を、電源回路０１１を介して映像入力回路０３０、映像照射制御回路０５０、及びランプ制御回路０４０へ供給する。ランプ制御回路０４０は、ランプユニット０７０に対し電力を供給する。ランプユニット０７０は、ランプ制御回路０４０より電力が供給されると点灯する。
【００６２】
電源スイッチ０１０がＯＮ又はＯＦＦになった場合、電源スイッチ０１０は、電源ＯＮ信号又は電源ＯＦＦ信号を電源スイッチ管理回路０８０へ送出する。
【００６３】
図５は、電源スイッチ管理回路０８０の動作を示すフローチャートである。まず、電源スイッチ管理回路０８０が電源ＯＮ信号を入力した場合について図３と図５（ａ）を参照して説明する。
【００６４】
ＯＮ／ＯＦＦ入力部０８１は、電源ＯＮ信号を入力し、１日の使用回数カウンタ０８２と、累計使用回数カウンタ０８３と、１回当たり使用時間タイマ０８４と、出力部０８５に電源ＯＮ信号を出力する（Ａ１）。比較部８２３は、日付が最新の使用日付と同じか判断する（Ａ２）。即ち、比較部８２３が、日付管理部８２１から電源ＯＮ信号入力時の日付を読み出し、最新使用日付記憶部８２２からプロジェクタ００１が最も最近使用された日付である最新使用日付を読み出す。そして、比較部８２３は、電源ＯＮ信号入力時の日付と最新使用日付とを比較する。電源ＯＮ信号入力時の日付が最新使用日付と同じでなかった場合（Ａ２，Ｎｏ）、最新使用日付記憶部８２２は、最新使用日付を電源ＯＮ信号入力時の日付に更新する（Ａ３）。そして、１日の使用回数カウンタ０８２は、カウンタ８２０をリセットする（Ａ４）。そのときの日付が最新使用日付と同じであった場合（Ａ２，Ｙｅｓ）、本動作は、ステップＡ３，Ａ４をスキップしてステップＡ５に移行する。
【００６５】
１日の使用回数カウンタ０８２は、自身を１加算する（Ａ５）。即ち、１日の使用回数カウンタ０８２は、カウンタ８２０を１加算する。次に、累計使用回数カウンタ０８３は、自身を１加算する（Ａ６）。次に、１回当たり使用時間タイマ０８４が動作をスタートする（Ａ７）。出力部０８５は、ＯＮ／ＯＦＦ入力部０８１から電源ＯＮ信号、１日の使用回数カウンタ０８２から１日の使用回数、累計使用回数カウンタ０８３から累計使用回数を入力し、データ記憶回路１００に出力する（Ａ８）。
【００６６】
次に、電源スイッチ管理回路０８０が電源ＯＦＦ信号を入力した場合について図３と図５（ｂ）を参照して説明する。
【００６７】
ＯＮ／ＯＦＦ入力部０８１は、電源ＯＦＦ信号を入力する（Ｂ１）。そして、１回当たり使用時間タイマ０８４は、動作をストップする（Ｂ２）。出力部０８５は、ＯＮ／ＯＦＦ入力部０８１から電源ＯＦＦ信号、１回当たり使用時間タイマ０８４から使用時間を入力し、データ記憶回路１００に出力する（Ｂ３）。１回当たり使用時間タイマ０８４は、自身の１回当たり使用時間タイマ０８４をリセットする（Ｂ４）。
【００６８】
尚、日付管理部８２１は、上記動作とは別に、輝度測定回路０９０に日付と時刻のデータを出力部０８５を介して出力している。
【００６９】
再び、本発明の実施の形態の動作について図１（ｂ）を参照して説明する。データ記憶回路１００は、電源スイッチ管理回路０８０より入力したデータを、図２のランプ寿命データテーブル１０１に格納する。具体的には、データ記憶回路１００は、電源ＯＮ信号、電源ＯＦＦ信号を基に、電源ＳＷ０１７の項目にＯＮ／ＯＦＦを格納する。同様に、データ記憶回路１００は、１日の使用回数のデータを１日当たり使用回数０１８の項目に格納し、累計使用回数のデータを累計使用回数０１９の項目に格納し、電源ＯＦＦ時には使用時間のデータを１回当たり使用時間０２０の項目へ格納する。
【００７０】
映像入力回路０３０は、電源回路０１１より電力の供給を受けた後、映像外部入力より映像を取り込むことが可能となる。映像入力回路０３０は、取り込んだ映像をプロジェクタ００１内部で使用するデータに変換し、映像照射制御回路０５０へ出力する。映像照射制御回路０５０は、電源回路０１１より電力の供給を受けた後、映像入力回路０３０より出力されたデータを受け取り、そのデータを外部へ照射するために必要な制御データと照射可能な映像データとへ変換を行い、映像照射部０６０へ送出する。映像照射部０６０は、映像照射制御回路０５０より送付された制御データと映像データを受け取り、ランプユニット０７０の光を使用し、プロジェクタ００１外部のスクリーン（図示せず）へ映像を照射する。ここで、ランプユニット０７０の新品時にランプユニット０７０に電力が供給されたときは、ランプユニット０７０のリレー回路（図示せず）がＯＮになった後、すぐにＯＦＦとなる。そして、その後はランプユニット０７０が交換されるまで、リレー回路はＯＦＦのままとなる。即ち、ランプユニット０７０は、新品時のみ１パルスのランプ交換信号を輝度測定回路０９０に出力する。
【００７１】
ランプユニット０７０が点灯すると、輝度測定回路０９０が、起動し、ランプユニット０７０の輝度を測定する。又、輝度測定回路０９０は、電源が投入されてから一定時間（例えば、１時間）毎に輝度の測定を行う。輝度測定回路０９０は、日付と時刻のデータを電源スイッチ管理回路０８０の日付管理部８２１から入力する。また、ランプユニット０７０の新品時には、輝度測定回路０９０は、ランプユニット０７０からランプ交換信号を入力する。
【００７２】
輝度測定回路０９０は、測定データをデータ記憶回路１００へ出力する。測定データは、日付と、時刻と、ランプ交換信号（ランプユニット０７０の新品時のみ）と、輝度測定値を含む。また、輝度測定回路０９０は、輝度測定値をランプ寿命分析回路１１０に出力する。データ記憶回路１００は、輝度測定回路０９０が出力した測定データを、図２のランプ寿命データテーブル１０１に格納する。データ記憶回路１００は、日付のデータを日付０１４の項目に、時刻のデータを時刻０１５の項目に、ランプ交換信号を受信した場合にはランプ交換のデータをランプ交換０１６の項目に、輝度測定値を輝度測定値０２１の項目に格納する。ランプ寿命分析回路１１０は、輝度測定値を入力すると、輝度測定値を基にランプユニット０７０の寿命の判定を行う。
【００７３】
図６は、ランプ寿命分析回路１１０の動作を示すフローチャートである。ランプ寿命分析回路１１０は、ランプユニット０７０の新品時の輝度測定値と最新の輝度測定値とを比較する（Ｃ１）。即ち、比較部２００は、入力した輝度測定値と閾値記憶部２０１に予め格納されている第１の数値と比較する。第１の数値は、例えば、プロジェクタ００１に使用されるランプユニット０７０の新品時の輝度の６５％である。図２に示された値を対応付けて説明すると、新品時の輝度は、ランプ寿命データテーブル１０１の輝度測定値０２８の「２０００」であり、新品時の輝度の６５％は、輝度測定値０２６の「１３００」の値である。そして、比較部２００は、最新の輝度測定値が新品時の輝度の６５％以下であるか判断する（Ｃ２）。
【００７４】
新品時の輝度の６５％以下であった場合（Ｃ２，Ｙｅｓ）、比較部２００は、最新の輝度測定値が新品時の輝度の５０％以下であるか判断する（Ｃ３）。即ち、比較部２００は、入力した輝度測定値と閾値記憶部２０１に予め格納されている第２の数値と比較する。第２の数値は、例えば、プロジェクタ００１に使用されるランプユニット０７０の新品時の輝度の５０％である。図２に示された値を対応付けて説明すると、新品時の輝度の５０％は、輝度測定値０２７の「１０００」の値である。５０％の値は、一般的には光源の交換輝度率と呼ぶことができる。
【００７５】
新品時の輝度の６５％より大きかった場合（Ｃ２，Ｎｏ）、出力部１１５は、「異常なし」を格納、出力する（Ｃ９）。即ち、比較部２００が「異常なし」を出力部１１５に出力する。そして、出力部１１５は、データ記憶回路１００とランプ寿命外部表示回路１２０にランプ寿命判定結果「異常なし」を出力する。データ記憶回路１００は、ランプ寿命データテーブル１０１のランプ寿命判定結果０２３に「異常なし」と格納する。ランプ寿命外部表示回路１２０は、プロジェクタ００１外部の表示手段（ディスプレイ等）に「異常なし」と表示する。
【００７６】
新品時の輝度の５０％以下であった場合（Ｃ３，Ｙｅｓ）、出力部１１５は、「ランプ交換」を格納、出力する（Ｃ７）。即ち、比較部２００が「ランプ交換」を出力部１１５に出力する。そして、出力部１１５は、データ記憶回路１００とランプ寿命外部表示回路１２０にランプ寿命判定結果「ランプ交換」を出力する。データ記憶回路１００は、ランプ寿命データテーブル１０１のランプ寿命判定結果０２３に「ランプ交換」を格納し、ランプ交換０１６に「ランプ寿命」を格納する。ランプ寿命外部表示回路１２０は、プロジェクタ００１外部の表示手段（ディスプレイ等）に「ランプ交換」と表示する。この例では、５０％（ランプ交換輝度率）以下の数値は、ランプが寿命に達したことを表しており、ランプユニット０７０を交換しないとプロジェクタ００１を使用出来ない事を表す。
【００７７】
新品時の輝度の５０％より大きかった場合（Ｃ３，Ｎｏ）、出力部１１５は、「ランプ磨耗」を格納、出力する（Ｃ４）。この例では、６５％以下５０％より大きい輝度は、ランプ交換ではないが、ランプユニット０７０が摩耗（消耗）していることを表す。
【００７８】
以上のように、第１の数値、第２の数値を基に、ランプユニット０７０の寿命判定を３段階で判断する 判断としては、「異常なし」、「ランプ摩耗」、「ランプ交換」となる。
【００７９】
続いて、輝度変化率計算部１１３が、輝度変化率を計算、格納する（Ｃ８，Ｃ５，Ｃ１０）。即ち、輝度変化率計算部１１３は、ランプユニット０７０を交換した後の１回目の測定値（図２の輝度測定値０２１「２０００」）を取り出す。そして、輝度変化率計算部１１３は、輝度測定回路０９０から送付されてきた最新の輝度測定値と比較し、その数値の変化量を算出し、その時の変化率を割り出す。具体的には、輝度変化率計算部１１３は、新品時の輝度から最新の輝度を減算し、減算して得た値を新品時の輝度で除算することで、輝度変化率（輝度変化量の新品時の輝度に対する比率）を計算する。そして、出力部１１５は、データ記憶回路１００に輝度変化率を出力する。データ記憶回路１００は、ランプ寿命データテーブル１０１の輝度変化率０２２の項目に輝度変化率を格納する。
【００８０】
ステップＣ５の処理が終わると、ランプ寿命計算部１１４が、ランプ寿命（ランプ交換までの回数、日数）を計算し、格納、出力する（Ｃ６）。ステップＣ８，Ｃ６，Ｃ１０の処理が終わると、ランプ寿命分析回路１１０は動作を終了する。
【００８１】
以下、ステップＣ６の動作を説明する。図７は、図５における、ステップＣ６の動作を示すフローチャートである。ランプ寿命計算部１１４が、ランプ寿命データテーブル１０１に格納された値を基に計算を行い、ランプ寿命予測を行う。
【００８２】
まず、輝度変化量（過去分）計算部４００が、ランプユニット０７０の新品時の輝度から最新の輝度を減算し、輝度変化量（過去分）を計算する（Ｄ１）。例えば、本実施の形態では、輝度変化量（過去分）計算部４００は、輝度測定値０２８「２０００」から輝度測定値０２６「１３００」を減算し、輝度変化量（過去分）（Ａ）を計算する。
【００８３】
そして、輝度変化量（将来分）計算部４０１が、ランプユニット０７０の最新の輝度から、ランプユニット０７０の新品時の輝度とランプユニット０７０の交換輝度率とを乗算して得たランプユニット０７０交換輝度を減算する。これにより、輝度変化量（将来分）計算部４０１は、輝度変化量（将来分）を計算する（Ｄ２）。例えば、本実施の形態では、輝度変化量（将来分）計算部４０１は、輝度測定値０２６「１３００」から、輝度測定値０２８「２０００」と交換輝度率５０％とを乗算して得たランプユニット０７０交換輝度を減算する。これにより、輝度変化量（将来分）計算部４０１は、輝度変化量（将来分）（Ｂ）を計算する。
【００８４】
そして、使用日数計算部４０２が、最新の日付からランプユニット０７０の新品時の日付を減算し、使用日数を計算する（Ｄ３）。例えば、本実施の形態では、使用日数計算部４０２が、Ｈ．１９．１０．１からＨ１９．８．２９を減算し、使用日数（Ｃ）を計算する。
【００８５】
そして、累計使用回数入力部４０３が、ランプユニット０７０の新品時からの累計使用回数を入力する（Ｄ４）。例えば、本実施の形態では、累計使用回数入力部４０３が、累計使用回数０２９「４３０」（Ｄ）をデータ記憶回路１００のランプ寿命データテーブル１０１から入力する。
【００８６】
次に、ランプ交換までの日数計算部４０６が、輝度変化量（将来分）を輝度変化量（過去分）で除算した値と使用日数とを乗算する。これにより、ランプ交換までの日数計算部４０６は、ランプユニット０７０交換までの（使用可能）日数（ランプユニット０７０が寿命に達するまでの日数）を計算する（Ｄ５）。例えば、本実施の形態では、ランプ交換までの日数計算部４０６が、上記（Ｂ）を（Ａ）で除算した値と（Ｃ）とを乗算し、ランプユニット０７０交換までの日数を計算する。ランプ交換までの日数計算部４０６は、光源寿命までの日数計算部と呼ぶことができる。
【００８７】
ランプ交換までの回数計算部４０７が、輝度変化量（将来分）を輝度変化量（過去分）で除算した値と使用回数とを乗算する。これにより、ランプ交換までの回数計算部４０７は、ランプユニット０７０交換までの（使用可能）回数（ランプユニット０７０が寿命に達するまでの使用可能回数）を計算する（Ｄ６）。例えば、本実施の形態では、ランプ交換までの回数計算部４０７が、上記（Ｂ）を（Ａ）で除算した値と（Ｄ）とを乗算し、ランプユニット０７０交換までの回数を計算する。ランプ交換までの回数計算部４０７は、光源寿命までの回数計算部と呼ぶことができる。
【００８８】
以上のランプ寿命計算部１１４で求められたランプ寿命予測結果（ランプユニット０７０交換までの日数、及び回数）を、出力部１１５は、データ記憶回路１００とランプ寿命外部表示回路１２０とに出力する。データ記憶回路１００は、データ寿命データテーブル１０１のランプ交換までの日数０２４とランプ交換までの回数０２５の項目にランプ寿命予測結果を格納する。ランプ寿命外部表示回路１２０は、ランプ寿命判定結果「ランプ摩耗」と共に、ランプ交換までの日数とランプ交換までの回数とをプロジェクタ００１外部の表示手段（ディスプレイ等）に表示する。以上で、ステップＣ６の動作の説明を終了する。
【００８９】
以上で、本発明の実施の形態の動作について説明を終了する。
【００９０】
本実施の形態では、ランプ交換までの日数とランプ交換までの回数の両方について計算を行ったが、いずれか一方でもよい。
【００９１】
次に、本発明の実施の形態における効果を説明する。
【００９２】
本発明は、プロジェクタ００１において、ランプユニット０７０がいつ寿命に達するのか予測を行うことが可能となるという効果を有する。その理由は、プロジェクタ００１が、ランプユニット０７０がいつ寿命に達するのか予測を行うランプ寿命予測回路１３０を備えるためである。
【００９３】
例えば、プロジェクタ００１の使用者は、自分の使用状況に応じたランプユニット０７０が寿命に達するまでの日数（ランプ交換までの日数０２４）とランプユニット０７０が寿命に達するまでの回数（ランプ交換までの回数０２５）を知ることができる。
【００９４】
これにより、使用者は、自動的、具体的に使用可能日数と回数を知ることができるため、交換用ランプユニット０７０をいつまでに購入すればよいか判断でき、交換用ランプユニット０７０をストックしておく日数を減少させることができる。使用者に使用可能残り時間のみを知らせるプロジェクタ００１の場合、使用者が何月何日まで使用できるかを知るためには、使用者は、輝度変化量（過去分、将来分）の計算が必要となる。また、使用者は、使用日数、累計使用回数等のデータを常日頃から収集しておくことが必要となる。これらの計算、収集は使用者にとって面倒である。
【００９５】
また、使用者は、交換用ランプユニット０７０のストックがない状態でランプユニット０７０が寿命に達した場合に、プロジェクタ００１を使用できなくなることを未然に防止できる。
【００９６】
本発明は、例えば、ランプユニット０７０を使い切ることにより、使用者が使用コストを軽減することができ、併せて、資源を有効利用することができるという効果を有する。その理由は、ランプユニット０７０がいつ寿命に達するのか予測を行うことが可能となるため、本発明を適用しない場合には使用者が寿命前に予備的に交換していたランプユニット０７０を、本発明を適用した場合には使い切ることができるためである。
【００９７】
本発明は、例えば、プロジェクタ００１が故障した場合における復旧時間を短縮する事が出来る、という効果を有する。その理由は、本発明は、データ記憶回路１００のランプ寿命データテーブル１０１に格納されているデータを分析する事で、障害切り分けが可能になるためである。
【００９８】
例えば、通常であれば、ランプユニット０７０の輝度測定値０２１は、プロジェクタ００１の使用時間の経過と共に減少していく。しかしながら、データを分析した結果、輝度測定値０２１が乱高下していることが判明した場合は、使用者や保守員はランプユニット０７０や電源回路０１１等の不具合を予想することができる。また、使用回数、時間が非常に大きなプロジェクタ００１の場合は、使用者は、プロジェクタ００１の寿命と判断し、ランプユニット０７０の交換を行うことなくプロジェクタ００１本体の交換を行うことができる。
【００９９】
その結果、ランプ寿命データテーブル１０１に格納されているデータがない状態で障害切り分けを行う場合と比較し、本発明は、障害切り分けにかかる時間を短縮することができ、結果復旧時間も短縮することができる。
【図面の簡単な説明】
【０１００】
【図１】プロジェクタ００１の構成を示す図である。
【図２】ランプ寿命データテーブル１０１の構成を示す図である。
【図３】電源スイッチ管理回路０８０の構成を示す図である。
【図４】ランプ寿命分析回路１１０の構成を示す図である。
【図５】電源スイッチ管理回路０８０の動作を示すフローチャートである。
【図６】ランプ寿命分析回路１１０の動作を示すフローチャートである。
【図７】図５における、ステップＣ６の動作を示すフローチャートである。
【符号の説明】
【０１０１】
００１    プロジェクタ
０１０    電源スイッチ
０１１    電源回路
０３０    映像入力回路
０４０    ランプ制御回路
０５０    映像照射制御回路
０６０    映像照射部
０７０    ランプユニット
０８０    電源スイッチ管理回路
０８１    ＯＮ／ＯＦＦ入力部
０８２    １日の使用回数カウンタ
８２０    カウンタ
８２１    日付管理部
８２２    最新使用日付記憶部
８２３    比較部
０８３    累計使用回数カウンタ
０８４    １回当たり使用時間タイマ
０８５    出力部
０９０    輝度測定回路
１００    データ記憶回路
１０１    ランプ寿命データテーブル
０１４    日付
０１５    時刻
０１６    ランプ交換
０１７    電源ＳＷ
０１８    １日当たり使用回数
０１９    累計使用回数
０２０    １回当たり使用時間
０２１    輝度測定値
０２２    輝度変化率
０２３    ランプ寿命判定結果
０２４    ランプ交換までの日数
０２５    ランプ交換までの回数
０２６    輝度測定値
０２７    輝度測定値
０２８    輝度測定値
０２９    累計使用回数
１１０    ランプ寿命分析回路
１１１    入力部
１１２    ランプ寿命判定部
２００    比較部
２０１    閾値記憶部
１１３    輝度変化率計算部
１１４    ランプ寿命計算部
４００    輝度変化量（過去分）計算部
４０１    輝度変化量（将来分）計算部
４０２    使用日数計算部
４０３    累計使用回数入力部
４０６    ランプ交換までの日数計算部
４０７    ランプ交換までの回数計算部
１１５    出力部
１２０    ランプ寿命外部表示回路
１３０    ランプ寿命予測回路
【図１】
0004870066.tif 000002
【図２】
0004870066.tif 000003
【図３】
0004870066.tif 000004
【図４】
0004870066.tif 000005
【図５】
0004870066.tif 000006
【図６】
0004870066.tif 000007
【図７】
0004870066.tif 000008